(57)【要約】      （修正有）【課題】ソレノイドのプロテクタの取付けを枠体内に納めることにより、適用機器への取付けを容易にし且つ取付け後の保護を十分にする。【解決手段】ソレノイド用プロテクタの取付構造は、板状の枠部材よりなる枠体１３内に収容されたボビン１のコイル６の外周に、コイル６への電流を制御して過電流を防止すべくプロテクタ１７を、コイル６に電気的に接続し絶縁部材１６を介して装着した取付機構を備え、ボビン１の軸方向であるＸ軸方向に対して直交し枠体１３の枠材内面に沿ったＹ軸方向の枠体１３の両端を開放端とし、プロテクタ１７を枠体１３内で枠体１３に囲まれ且つ枠体１３の枠材のＹ軸方向の幅内に納めて配置している。また、プロテクタ１７を絶縁材よりなるテープ１８を外側より巻付けることによりコイル６外周に固定し、テープ１８をコイル６及びプロテクタ１７の外周を覆うカバー部材とすることもできる。【選択図】図１
0003215986.tif 000002
【実用新案登録請求の範囲】
【請求項１】
板状の枠部材よりなる枠体（１３）内に収容されたボビン（１）のコイル（６）の外周に、コイル（６）への電流を制御して過電流を防止すべくプロテクタ（１７）を、上記コイル（６）に電気的に接続し絶縁部材（１６）を介して装着した取付機構を備え、ボビン（１）の軸方向であるＸ軸方向に対して直交し枠体（１３）の枠材内面に沿ったＹ軸方向の枠体（１３）の両端を開放端とし、前記プロテクタ（１７）を上記枠体（１３）内で枠体（１３）に囲まれ且つ枠体（１３）の枠材のＹ軸方向の幅内に納めて配置したソレノイド用プロテクタの取付構造。
【請求項２】
プロテクタ（１７）を絶縁材よりなるテープ（１８）を外側より巻付けることによりコイル（６）外周に固定し、該テープ（１８）をコイル（６）及びプロテクタ（１７）の外周を覆うカバー部材（１９）としたソレノイド用プロテクタの取付構造。
【請求項３】
枠体（１３）がＹ軸方向視でＵ字形に折り曲げ形成された枠部材（１３Ａ）と該Ｕ字形の開放端に取付固定するプレート状の枠部材（１３Ａ）とからなり、全体としてＹ軸方向視で正方形又は長方形の枠体である請求項１又は２に記載のソレノイド用プロテクタの取付構造。
【請求項４】
プロテクタ（１７）を枠体（１３）の開放端側のコイル（６）外周に取付けてなる請求項１〜３のいずれかに記載のソレノイド用プロテクタの取付構造。
【考案の詳細な説明】
【技術分野】
【０００１】
この考案は、例えば家電製品等に用いられるソレノイド用プロテクタの取付構造に関する。
【背景技術】
【０００２】
上記のようなソレノイドは過電流による損傷や過熱その他の不具合を防止するために、特許文献１又は同２に示すように、ボビンに巻装されたコイルの近傍にサーモスイッチや温度ヒューズ等のプロテクタをコイルの回路に接続させて設けているものが公知である。
【先行技術文献】
【特許文献】
【０００３】
【特許文献１】特開２００６−２４８６７公報
【特許文献２】特開２０１０−１９２７２３公報
【考案の概要】
【考案が解決しようとする課題】
【０００４】
上記の特許文献１の発明は、温度ヒューズをコイル外周に沿って固定し、その外周はケーシングで覆われていて油密性も保たれた環境にあるため、外力による損傷は防がれているが、このようにコイル及び温度ヒューズ等を含めてケーシングで密閉することは、コスト高を招くほか、用途によっては過剰品質となる。
【０００５】
また特許文献２に示すのものでは、温度ヒューズ１８はドーナツ状の鍔部１´で、しかも中心側と外周側に周壁を有するチャンネル状の断面内に設けられ、さらにその断面内には凹み部１７のように温度ヒューズ１８を収容するための凹部まで形成されているが、この場合も特別の専用部品を必要とし且つ組立も複雑で全体として高コストになるという欠点がある。
【課題を解決するための手段】
【０００６】
上記課題を解決するための本考案の取付構造は、第１に板状の枠部材よりなる枠体１３内に収容されたボビン１のコイル６の外周に、コイル６への電流を制御して過電流を防止すべくプロテクタ１７を、上記コイル６に電気的に接続し絶縁部材１６を介して装着した取付機構を備え、ボビン１の軸方向であるＸ軸方向に対して直交し枠体１３の枠材内面に沿ったＹ軸方向の枠体１３の両端を開放端とし、前記プロテクタ１７を上記枠体１３内で枠体１３に囲まれ且つ枠体１３の枠材のＹ軸方向の幅内に納めて配置したことを特徴としている。
【０００７】
第２に、プロテクタ１７を絶縁材よりなるテープ１８を外側より巻付けることによりコイル６外周に固定し、該テープ１８をコイル６及びプロテクタ１７の外周を覆うカバー部材１９としたことを特徴としている。
【０００８】
第３に、枠体１３がＹ軸方向視でＵ字形に折り曲げ形成された枠部材１３Ａと該Ｕ字形の開放端に取付固定するプレート状の枠部材１３Ａとからなり、全体としてＹ軸方向視で正方形又は長方形の枠体であることを特徴としている。
【０００９】
第４に、プロテクタ１７を枠体１３の開放端側のコイル６外周に取付けてなることを特徴としている。
【考案の効果】
【００１０】
以上のように構成される本考案によれば、枠体の開放端側から見て過電流防止材は四方を枠部材によって囲まれるほか、枠部材の板幅方向には板幅内に納まるように枠部材内に取付られるので、他の機器への取付けに際し、取付部の構造やサイズ、取付方向等の制約が少なくなるほか、取付作業自体が容易になる。また低コストで簡単な構造によって、ソレノイドを家電製品等の作動部に取付けた際に、外部からの衝撃や当接その他の外力による損傷からプロテクタが十分に保護されるという利点がある。プロテクタを枠体の開放端側に取付けることにより、プロテクタの交換等も容易に行うことができる。
【図面の簡単な説明】
【００１１】
【図１】本考案を適用したソレノイドの組立構造を示す分解斜視図である。
【図２】サーモスイッチの取付状態を示す平面図である。
【図３】同じくサーモスイッチの組立状態を示す平断面図である。
【図４】サーモスイッチの組込状態を示す縦断面図である。
【考案を実施するための形態】
【００１２】
次に図示する実施形態につき詳述するが、本出願人は、本考案の前にその実施に適用したソレノイドにつき、既に実用新案登録第３１６３４３６号公報に記載の考案を提案しており、上記公報により公知になり且つ本考案の要部と関連性の乏しい部分については詳しい説明を割愛する。
【００１３】
図１〜図４は本考案の実施例を示し、この例では、ソレノイドのボビン１は電源入力用のコネクター２を突設した基端部側と共にプラスチック製で長方形又は正方形の端板３と、先端部側の端板４との中心間にコイル６を巻回する軸管７が固定して設けられており、この軸管７の基端部内には、円錐状の固定鉄心８が同心的に端板３に取付けられて突設されている。
【００１４】
上記軸管７の先端は端板４の外端面に突出しており、その開口端には棒状の可動鉄心９が一定ストロークで往復動するように挿入されており、その基端部内には、前記固定鉄心８と適合する形状の受け孔１１が形成され、可動鉄心９がコイル６の磁力により内面底面まで吸引された際に受け孔１１と固定鉄心８が嵌合し合う。可動鉄心９の先端側にはフランジ１２が取付固定されている。
【００１５】
ボビン１を収容固定する枠体１３は、帯状の板材を平面視で角形のＵ字形に折り曲げ形成した枠部材１３Ａと、該Ｕ字形の開放端間を塞ぐように取付固定される平板状の同幅の枠部材１３Ｂとからなり、Ｕ字形の開放端と平板状の枠部材１３Ｂの両端には、互いに圧入し合ってかしめ固定される取付爪１４ａと取付溝１４ｂとが突設又は切欠形成されており、枠体１３は図示するように組立後は全体として直方体形状になっている。
【００１６】
ボビン１はコイル６を巻回後は図１に示すようにその上端周面にシート状の絶縁部材１６を被せた後その上に温度ヒューズ又はサーモスイッチ等からなる（本例ではサーモスイッチ）プロテクタ１７が、軸方向（Ｘ軸方向）に沿って取付けられる。このサーモスイッチ１７は例えば１×３×５（ｍｍ）程度の極小サイズの直方体形状からなり、その長手方向の端部から突出する板状の端子１７ａ，１７ｂにはコイル６の回路（ワイヤ）端子６ａ，６ｂが巻き付けられ、ハンダ付等により接続している。コイル６が過電流により一定温度（例えば９０℃）以上になるとこれをサーモスイッチ１７が感知し、回路切断をすることによりソレノイドを保護する。
【００１７】
サーモスイッチ１７は図１に示すように絶縁材からなるテープ１８に予め貼着して固定した後、そのテープ１８を絶縁部材（シート）１６の上からコイル６の外周に巻付固定する。この固定後さらにその外周から他の絶縁テープの巻付け又は絶縁塗料の塗布等によりカバー部材１９（図３，図４参照）を形成しても良いが、テープ１８を全周に巻き付けることによりカバー部材１９に代えても良い。
【００１８】
なお、上記サーモスイッチ１７は、外装のカバー部材１９も含めて枠体１３の開放された端面から突出しないように上記のように可能な限り微小サイズ（特に厚みが薄いこと）であることが望ましい。また図示する例ではコイル６の外周の直上（Ｙ軸方向）に設けたが、これを両側方向のいずれかに例えば４５°傾斜した方向に取付けることにより、枠体１３の外周に突出させずに取付けることがより容易になる。サーモスイッチ１７をコイル６周面のどの方向（中心からの角度）に取付けるかは、コイル径と枠体１３のサイズ及びサーモスイッチ自体のサイズとの関係によって決められる。
【００１９】
上記のように組付けを完了したボビン１は、先ず端板３の外周面に突出する固定鉄心８とコイル電源接続用のコネクター２とを、枠部材１３Ａ内のコネクター孔２１と軸孔２２とに差し込むことにより、枠部材１３Ａ側に取付け、続いて平板状枠部材１３ｂと上記枠部材１３Ａの開放端とを、互いの取付爪１４ａ，取付溝１４ｂ同士を嵌合させて両者をかしめ固定することにより、ボビン１を枠体１３内に最終固定する。２３は枠体１３の基端部外周面に突出したコネクター２をカバーするために、枠部材１３Ａのコネクター孔２１を打抜いて切残し、起立させているコネクター保護爪、２４は枠体１３と他の部材を組付けるための取付孔である。
【００２０】
上記のように枠体１３は、ボビン１の軸方向（Ｘ軸方向）に対して、枠体内面に沿ってＸ軸方向と直交する（図１で上下）方向であるＹ軸方向の上下両端側が開放端となっており、この開放端側ではボビン１の絶縁部材１６によって被覆されたコイル６の周面が露出している。しかしコイル６やさらにその外周で絶縁部材１６で被覆されたサーモスイッチ１７は、全体として枠体１３に囲まれ且つ枠体１３の枠部材の板幅内に納まるため、少なくとも前後上下に突出することはなく、ボビン１が取付けの妨げとなったり、取付後他の器材等に当接することもない。
【００２１】
次に本考案のプロテクタの取付構造をソレノイドに応用した場合の組付け方法について説明すると、図１に示すように先ずボビン１に巻き付けられたコイル６の外周にシート状の絶縁部材１６を被せて少なくともコイル周面の上部１／２程度以上を覆い、他方でサーモスイッチ１７の長手方向に対してクロス方向にテープ１８を押接して貼付固定し、サーモスイッチ１７を上記コイル６上の絶縁部材（シート）１６の上部表面の長手方向（Ｘ軸方向）に沿って押接し接着テープ１８をコイル６に巻き付けることにより取付固定する。
【００２２】
次に絶縁部材１６上に固定されたサーモスイッチ１７のＸ軸方向両端には板状の端子１７ａ，１７ｂが突出しており、この端子１７ａ，１７ｂに対し、コイル６側及びコネクター２側のワイヤ端子６ｂ，６ａを上記板状の端子１７ａ，１７ｂに巻き付け、ここに「エコソルダー」（ペーストハンダ）を塗布してハンダ付けすることにより、電源側コネクター２とコイル６及びサーモスイッチ１７とを直列接続する回路を完成させる。
【００２３】
続いて上記サーモスイッチ１７とコイル６の表面全体を覆うように絶縁性を備えたカバー部材１９を巻き付け又は塗布する。このカバー部材１９は前記テープ１８を巻き付けることによって形成しても良い。
【００２４】
なお、この実施形態では枠部材には２ｍｍ厚の板材を用い板幅１５ｍｍ、枠体１３の外形は４０ｍｍのものを用いたが、ソレノイドのサイズとしてはこれ以外のもの又はこれを超えるサイズのものへの適用は十分可能である。さらに、図示する実施形態では、コイル６への電源入力側の端子としてコネクターを用いたが、これを用いることなくコイル６側の端部を直接電源側の配線コード（図示しない）に接続したものであっても良い（この場合はコネクター保護爪２３は不要）。さらにサーモスタット取付に際して支障がなければ、枠体１３の周壁にコード接続端を通すための孔や溝を設けないタイプのものもある。
【符号の説明】
【００２５】
１    ボビン
６    コイル
１３    枠体
１３ａ，１３ｂ  枠部材
１６    絶縁部材（シート）
１７    プロテクタ（サーモスイッチ）
１８    テープ
１９    カバー部材
【図１】
0003215986.tif 000003
【図２】
0003215986.tif 000004
【図３】
0003215986.tif 000005
【図４】
0003215986.tif 000006